(57)【要約】      （修正有）【課題】放射状にパーティションで区切ることで、所定位置を中心に複数のブースを設ける放射状複数ブースにおいて、１つの表示器を設置するだけですべてのブースに対応する表示を行うことができる表示用バルーンを提供する。【解決手段】ブースの上側に浮遊される、中空部を有するドーナツ状の表示用バルーン１であって、バルーン本体下部には係止用のロープ３が少なくとも３本以上設けられており、バルーン本体側面には異なる複数のブースの名称が表示される。また、少なくとも３方向以上に放射状に延伸して設けられる間仕切りからなる放射状パーティション１１により、該ブースは３個以上形成され、該放射状パーティション１１の上部に浮遊させて設置され、各ブースの名称に対応した名称がバルーン本体側面２４ａ〜２４ｆに表示される。【選択図】図３
0003181571.tif 000002
【実用新案登録請求の範囲】
【請求項１】
ブースの上側に浮遊させて設置される、中空部を有するドーナツ状の表示用バルーンであって、バルーン本体下部には係止用のロープが少なくとも３本以上設けられており、バルーン本体側面には異なる複数のブースの名称が表示されることを特徴とする表示用バルーン。
【請求項２】
所定位置から少なくとも３方向以上に放射状に延伸して設けられる間仕切りからなる放射状パーティションにより、該ブースは３個以上形成され、該放射状パーティションの上部に浮遊させて設置され、各ブースの名称に対応した名称がバルーン本体側面に表示されることを特徴とする、請求項１に記載の表示用バルーン。
【請求項３】
該放射状パーティションにおいて、等間隔で６方向に放射状に延伸して間仕切りが設けられることにより、該ブースは等間隔で６個形成され、各ブースに対応した名称がバルーン本体側面に等間隔で表示されることを特徴とする、請求項２に記載の表示用バルーン。
【請求項４】
バルーン本体の幅とバルーン本体の中空部の直径との比が１：５であることを特徴とする、請求項１から請求項３の何れか１項に記載の表示用バルーン。
【請求項５】
バルーン本体の幅は１．４ｍであり、バルーン本体の中空部の直径は７．２ｍであることを特徴とする、請求項１から請求項４の何れか１項に記載の表示用バルーン。
【考案の詳細な説明】
【技術分野】
【０００１】
本考案は各種イベントなどで設置されるブースにおいて、各ブースに対応するブース名称（サイン）をそれぞれ側面に表示した表示用バルーンに関する。
【背景技術】
【０００２】
昨今、大型ホールや大型会場を貸し切って、企業や団体がブースや展示スペースなどを出し合い、集客を行うイベントが盛んに催されている。このようなイベントでは、多くの人が会場に集まるため、イベント参加者が目的のブースを発見しやすいように、会場内に様々な表示がなされている。
例えばブースの上に企業や展示ブースの名前を記載した看板を掲げるといった形で表示がなされている。
【考案の概要】
【考案が解決しようとする課題】
【０００３】
しかし、従来の看板による表示では、以下の問題点があった。
【０００４】
まず、看板では重量が重いため、設置が大変である。看板を持ち上げ、展示ブースの柱などに頑丈に固定しなければならないが、多くの労力と時間を要する。
次に、表示できる方向が制限されてしまう。例えば、平板を用いた場合だと、平板の表面と裏面に表示を行ったとしても、前後の２方向に対してしか表示することができない。４枚の平板を各ブース端部上部に正面・両側面・背面と設置することで、前後左右の４方向に対して表示することができる。しかし４枚の平板をブース上部に設置固定するのは大変である。
【０００５】
また、出願人はある地点を中心として放射状に６枚のパーティションで均等に区切り、６つのスペースを作り出すことで、同時に６箇所のブースで催し物を行うことができる、放射状パーティションを考案している。このようなパーティションの場合、６箇所分のブース用の表示を行わなければならず、従来のような看板による表示では看板の設置解体作業がより困難であった。
【０００６】
本考案は放射状にパーティションで区切ることで、所定位置を中心に複数のブースを設ける放射状複数ブースにおいて、1つの表示器を設置するだけですべてのブースに対応する表示を行うことができ、かつ該表示器自体も設置取り外し作業が労力を用いることなく少人数かつ短時間で簡単に行うことができる表示器を提供することを課題とする。
【課題を解決するための手段】
【０００７】
上記の課題を解決するために、本考案に係る表示用バルーンは、ブースの上側に浮遊させて設置される、中空部を有するドーナツ状の表示用バルーンであって、バルーン本体下部には係止用のロープが少なくとも３本以上設けられており、バルーン本体側面には異なる複数のブースの名称が表示されることを要旨とする。
【０００８】
また本考案に係る表示用バルーンは前記構成においてさらに、所定位置から少なくとも３方向以上に放射状に延伸して設けられる間仕切りからなる放射状パーティションにより、該ブースは３個以上形成され、該放射状パーティションの上部に浮遊させて設置され、各ブースの名称に対応した名称がバルーン本体側面に表示されることを要旨とする。
【０００９】
また本考案に係る表示用バルーンは前記構成においてさらに、該放射状パーティションにおいて、等間隔で６方向に放射状に延伸して間仕切りが設けられることにより、該ブースは等間隔で６個形成され、各ブースに対応した名称がバルーン本体側面に等間隔で表示されることを要旨とする。
【００１０】
また本考案に係る表示用バルーンは前記構成においてさらに、バルーン本体の幅とバルーン本体の中空部の直径との比が１：５であることを要旨とする。
【００１１】
また本考案に係る表示用バルーンは前記構成においてさらに、バルーン本体の幅は１．４ｍであり、バルーン本体の中空部の直径は７．２ｍであることを要旨とする。
【考案の効果】
【００１２】
本考案による表示用バルーンによると、バルーン自体に浮力が生じることから、ブース上部に設置・取り外す作業が少人数かつ少ない労力で可能となる。また、所定位置から放射状に間仕切りを設けて、間仕切り間にブースを形成する放射状パーティションと組み合わせて用いる場合、バルーン本体側面に各ブースの名称を表示することで、１つのバルーンのみにより、すべてのブースにおける個々の名称を表示することが可能となる。
これにより、イベント来場者はバルーン側面に描画される表示を見ることにより、目的とするブースの場所が容易に分かるようになっている。
【００１３】
また、本考案による表示用バルーンによると、バルーン本体には大きく中空部が設けられるため、バルーン上方の光源からの光を遮る面積が少なくなる。これにより、表示用バルーンの下側に設置されるブースへ光が届きやすくなるため、ブースを明るく保つことが可能となる。
【図面の簡単な説明】
【００１４】
【図１】（a）本実施例に係る表示用バルーンの正面図及び背面図であり、（ｂ）その右側面図及び左側面図であり、（ｃ）その平面図であり、（ｄ）その底面図である。
【図２】本実施例に係る表示用バルーンとともに好適に用いられる、放射状パーティション、及びそれにより形成される複数ブースの参考図である。
【図３】本実施例に係る表示用バルーンの使用態様を示す参考図である。
【考案を実施するための形態】
【００１５】
以下、本考案の好ましい実施の形態につき説明する。
【実施例】
【００１６】
本考案の一実施形態につき、図１から図３を参照しながら説明する。図１（a）は本実施例に係る表示用バルーンの正面図及び背面図であり、（ｂ）はその右側面図及び左側面図であり、（ｃ）はその平面図であり、（ｄ）はその底面図である。図２は本実施例に係る表示用バルーンとともに用いられる、放射状に間仕切り板を設置することで中心から外側に複数のブースを構成することができるパーティションの参考図である。図３は、本実施例に係る表示用バルーンを使用した状態を示す参考図である。
【００１７】
図１に示すように、本実施例に係る表示用バルーン（１）は、主にドーナツ状のバルーン本体（２）と、バルーン本体に取り付けられる複数のロープ（３）とからなる。バルーン本体の大きさは表示対象となるブースの大きさ等により任意に変更できるが、本実施例に係るバルーンでは、バルーン本体の幅（チューブの太さ）（ｘ）は約１．４ｍであり、バルーン本体に設けられる中空部（５）の直径（ｙ）は約７．２ｍである。バルーン外側の直径は、約１０ｍ（１．４ｍ×２＋７．２ｍ）となる。
本表示用バルーンは、展示用ブースの上側にブース表示器として用いられる。屋内の展示用ブースであれば、さらに上方に高出力の光源が設けられており、屋外であれば太陽光を受けていることが多い。
そのため、バルーンの本体がそれらの光を遮らないように、なるべくバルーン本体の中空部（５）は大きく取ることが好ましい。一方で、後述の通り、バルーン本体の側面（７）には、各ブースに対応した表示を描画する。中空部を大きく取るためにバルーン本体の幅をあまりに小さくしすぎると、バルーン本体を側面から見た場合の縦幅が小さくなってしまい、描画する表示が小さくなってしまう。
以上のことから、なるべく中空部（５）は大きくとりつつ、かつ、バルーン本体（２）のチューブ幅（ｘ）もできるだけ大きくとることができる大きさを検討したところ、上記の大きさが最も好ましいことが判明した。比率で示すと、バルーン本体の幅（チューブの太さ）と中空部の直径は１：５乃至１：６、好ましくは１：５となる。
【００１８】
バルーン本体（２）の素材は、障害物が接触したとしても容易に割れないだけの強度があり、かつ薄く軽量で浮遊すればどのようなものでもよい。ポリエステル、ポリエチレンなどの弾性樹脂が好適に用いられ、アルミニウムなどの金属箔でコーティングしてもよい。バルーン本体が浮遊するよう、内部にはヘリウムガスが内封される。
【００１９】
また、バルーンをブース上部に固定するために、複数本のロープがバルーン本体下部（６）にロープ取付具（４）を介して取り付けられる。ロープの取り付け部や本数は任意であるが、２本だとバルーン本体が回転してしまうなど不安定になるため、３本以上均等位置に取り付けることが好ましい。
本実施例では、バルーン本体下部に、等間隔で６本のロープを取り付けている。このロープの先端をブースに取り付けることで、表示用バルーン（１）がブース上部に固定される。
【００２０】
次に、本実施例に係る表示用バルーンが好適に用いられる、放射状パーティション（１１）について図２を参照して説明する。
【００２１】
放射状パーティション（１１）は、主に平面視６角形からなる中央ブース（１５）を形成するための正面用間仕切り（１３）と、中央ブースから放射状に外側に延伸して設けられる側面用間仕切り（１２）とからなる。本実施例における放射状パーティションでは、高さ幅約２７０ｃｍ〜３００ｃｍ、横幅約１００ｃｍのパネル（２１）を横方向に連続的に設置して各間仕切りを形成している。
【００２２】
まず、正面用間仕切り（１３）を平面視で略６角形になるように並べる。次に、各正面用間仕切りと、隣接する正面用間仕切りとの接触点（２２）から、放射状に側面用間仕切りを設ける。側面用間仕切りの長さは任意であるが、図２のパーティションでは６枚のパネルからなり、その長さは約６ｍとなる。
隣接する正面用間仕切りの接触点は６つあり、それぞれから放射状に向けて側面用間仕切りが延伸して設けられる。これにより、側面用間仕切りと、その左右に位置する側面用間仕切りとの間にはブースが形成される。６枚の側面用間仕切りでブースは区切られるため、第１ブース（１４ａ）、第２ブース（１４ｂ）、第３ブース（１４ｃ）、第４ブース（１４ｄ）、第５ブース（１４ｅ）、第６ブース（１４ｆ）と、合計６つのブースが形成される。
【００２３】
側面用間仕切り（１２）の外側端部は三角柱の形状からなる間仕切り転倒防止脚（１６）を接続している。これにより、側面用間仕切りの両端において間仕切りが支持され、側面用間仕切りの転倒を防止することができる。
また、側面用間仕切りは、６箇所すべてにおいて１枚パネルの横並びからなる間仕切りを用いてもよいが、本実施例では６箇所のうち、１箇所において、間仕切りを並行に配置して通路（１８）を形成している。通路の外側端部にはドア（１７）が設けられており、かつ内側端部は中央ブース（１５）につながっている。
これにより、ドアを開き通路を通ることで、容易に中央ブース（１５）の内側と外側とを行き来できる。
【００２４】
さらに、各ブース（第１ブース〜第６ブース）から直接中央ブースへと行き来できるように、各ブースの正面側間仕切り（１３）のパネルのうち、一枚の下側を開放し、連絡口（１９）を設けている。連絡口の高さは任意であるが、人が屈まずに通過できるようにすることが好ましく、約１９５ｃｍの高さとしている。連絡口の上部には高さ幅約７５ｃｍから約１０５ｃｍの接続用パネル（２３）を設けることで、正面用間仕切り（１３）において、隣接する間仕切りとの間にパネルが離れる箇所がなくなり、中央ブースを形成する正面用間仕切りが安定して支持される。
なお、各ブースから連絡口（１９）を通して中央ブース内部が見えないよう、連絡口から中央ブース内にかけて、目隠し用の間仕切り（２０）を適宜設けることが好ましい。
【００２５】
本実施例における表示用バルーンは、放射状パーティション（１１）の上部に固定することで、各ブースに対応する表示を示すことを主な用途としているが、その表示のしかたに大きな特徴がある。
【００２６】
表示用バルーン（１）は、ヘリウムガスを入れ浮力を発生させた後、図３に示すようにバルーン本体（２）をパーティション（１１）中央上部に浮遊させて、各ロープ（３）をパーティションの間仕切り部分に固定することで、表示用バルーンをパーティション上部に固定する。
バルーン本体には浮力が生じており、ロープを引っ張ってバルーン位置を調整することで、この作業は少ない人数で容易に行うことができる。
【００２７】
そして、表示用バルーン本体（２）の側面には、放射状に位置する各ブースの名称に対応する表示（サイン）を描画する。バルーン本体側面の表示はブースの数や大きさによって任意に変更可能であるが、本実施例ではブースは中央を基準に、放射状に第１ブースから第６ブースまで合計６つのブースを形成しているため、バルーンの側面においても、等間隔で各ブースの名称を示す表示（サイン）が描画されている。
【００２８】
図３に示すように、正面側の第１ブース（１４ａ）には「Ｅ−１ブース」という名称がつけられているため、表示用バルーンにおいて「Ｅ−１ブース」の上側に位置するバルーン側面（２４ａ）には、第１ブース名称の表示として「Ｅ−１」の表示がなされている。
同様に、「Ｅ−１ブース」の左側の第２ブース（１４ｂ）には「Ｅ−２ブース」という名称がつけられているため、表示用バルーンにおいて「Ｅ−２ブース」の上側に位置するバルーン側面（２４ｂ）、すなわち「Ｅ−１」の表示の左側には、第２ブース名称の表示として「Ｅ−２」の表示がなされている。
【００２９】
本実施例では、このようにバルーン本体側面において、下側のブース名称に対応させて「Ｅ−１」「Ｅ−２」「Ｅ−３」「Ｅ−４」「Ｅ−５」「Ｅ−６」までの表示（２４ａ〜２４ｆ）が等間隔になされている。
【００３０】
これにより、イベント来場者は放射状パーティションにより形成される複数ブースの各名称を、その上部に位置する表示用バルーン（１）に描画された名称を確認することで容易に把握することができる。
混雑した会場においては、人が多くいるため、目線の高さにブース名が表示されていても見えないことが多い。このような場合でも、本実施例の表示用バルーンでは目線より非常に高い位置にあるため、混雑した中でも容易に視認することができる。
【００３１】
また、本実施例ではブースの数を６個に設定しているが、平面視において正面用間仕切りを三角形状から多角形状にすることで、ブースの数を３個から複数個まで任意に形成することができる。
このような場合に、ブースの数が複数になったとしても、表示用バルーン（１）の側面において各ブースの名称の描画数をブースの個数に応じて増減させることで、1つの表示用バルーンのみですべてのブース名を表示することが可能となる。
【００３２】
なお、上記各施形態の記述は本考案をこれに限定するものではなく、本考案の要旨を逸脱しない範囲で種々の設計変更等が可能である。
【符号の説明】
【００３３】
１    表示用バルーン
２    バルーン本体
３    ロープ
４    ロープ取付具
５    中空部
６    バルーン本体下部
７    バルーン本体側面
１１  放射状パーティション
１２  側面用間仕切り
１３  正面用間仕切り
１４ａ  第１ブース（E-１ブース）
１４ｂ  第２ブース（E-２ブース）
１４ｃ  第３ブース（E-３ブース）
１４ｄ  第４ブース（E-４ブース）
１４e  第５ブース（E-５ブース）
１４ｆ  第６ブース（E-６ブース）
１５  中央ブース
１６  間仕切り転倒防止脚
１７  ドア
１８  通路
１９  連絡口
２０  目隠し用間仕切り
２１  パネル
２２  接触点
２３接続用パネル
２４ａ  第１ブース名称表示部
２４ｂ  第２ブース名称表示部
２４ｃ  第３ブース名称表示部
２４ｄ  第４ブース名称表示部
２４ｅ  第５ブース名称表示部
２４ｆ  第６ブース名称表示部
【図１】
0003181571.tif 000003
【図２】
0003181571.tif 000004
【図３】
0003181571.tif 000005